(57)【特許請求の範囲】
【請求項１】
製氷皿の各粒形状内に、連結部を残して氷粒を上下に分割するセパレート形状を設け、上方から冷却することにより白濁氷を製氷皿の下部に生成し上部に透明氷を生成し、製氷完了後の離氷過程において前記連結部を切断して透明氷を離氷し、残りの白濁氷を新しく製氷皿に給水された水で融解して混ぜた後、再び製氷を行う製氷装置を備え、
前記製氷装置は、前記離氷前に前記白濁氷を前記透明氷から切断するための白濁氷部切断手段を備えており、
前記白濁氷部切断手段は、前記製氷皿の各粒形状に対して設けられ、偏心して設けられた回転軸を軸として回転する円盤から構成されており、
前記円盤が回転して前記白濁氷の部分に接触することにより、前記白濁氷の部分に押しつけ力が加わって前記白濁氷が前記透明氷から切断されるものであって、
前記製氷皿の各粒形状に対する円盤ごとに各回転位置の位相をずらすことにより、各氷ごとに前記白濁氷と前記透明氷とを切断する切断時刻をずらすことを特徴とする冷蔵庫。
【発明の詳細な説明】
【技術分野】
【０００１】
この発明は冷蔵庫に関し、特に、高い透明度の氷を得る製氷装置を備えた冷蔵庫に関するものである。
【背景技術】
【０００２】
従来の冷蔵庫は、透明度の高い氷を生成する実現手段として、製氷皿の各粒形状内に、連結部を残して氷粒を上下に分割するセパレート形状を設け、上方からの冷却により白濁部を製氷皿の下部に移動させて上部に透明氷を生成し、製氷完了後の離氷過程において連結部を切断して透明氷を離氷し、残りの白濁氷を新しく製氷皿に給水された水で融解して混ぜた後、再び製氷を行う製氷装置を備えている（例えば、特許文献１参照）。
【０００３】
【特許文献１】特開２００４−２４５４８４号公報（請求項１、図３）
【発明の開示】
【発明が解決しようとする課題】
【０００４】
このような冷蔵庫の自動製氷装置にあっては、透明氷部と白濁氷部の連結部を切断する手段として、製氷駆動装置が回転動作を開始し製氷皿を回転させて捻ることによって切断している。製氷皿を捻ることで、製氷皿が変形し、透明氷部を押し出し、白濁氷部から透明氷部をひきちぎることで透明氷部と白濁氷部が分断される。このように、製氷皿を単に捻ることだけで、氷を分断しているため、分断するために大きな力が必要であるので、分断時に大きな騒音が発生していた。
【０００５】
この発明は、かかる問題点を解決するためになされたものであり、透明度の高いきれいな氷が得られるとともに、離氷時の騒音レベルの低い冷蔵庫を得ることを目的としている。
【課題を解決するための手段】
【０００６】
この発明は、製氷皿の各粒形状内に、連結部を残して氷粒を上下に分割するセパレート形状を設け、上方から冷却することにより白濁氷を製氷皿の下部に生成し上部に透明氷を生成し、製氷完了後の離氷過程において前記連結部を切断して透明氷を離氷し、残りの白濁氷を新しく製氷皿に給水された水で融解して混ぜた後、再び製氷を行う製氷装置を備え、前記製氷装置は、前記離氷前に前記白濁氷を前記透明氷から切断するための白濁氷部切断手段を備えており、前記白濁氷部切断手段は、前記製氷皿の各粒形状に対して設けられ、偏心して設けられた回転軸を軸として回転する円盤から構成されており、前記円盤が回転して前記白濁氷の部分に接触することにより、前記白濁氷の部分に押しつけ力が加わって前記白濁氷が前記透明氷から切断されるものであって、前記製氷皿の各粒形状に対する円盤ごとに各回転位置の位相をずらすことにより、各氷ごとに前記白濁氷と前記透明氷とを切断する切断時刻をずらすことを特徴とする冷蔵庫である。
【発明の効果】
【０００７】
この発明によれば、製氷皿の各粒形状内に、連結部を残して氷粒を上下に分割するセパレート形状を設け、上方から冷却することにより白濁氷を製氷皿の下部に生成し上部に透明氷を生成し、製氷完了後の離氷過程において前記連結部を切断して透明氷を離氷し、残りの白濁氷を新しく製氷皿に給水された水で融解して混ぜた後、再び製氷を行う製氷装置を備え、前記製氷装置は、前記離氷前に前記白濁氷を前記透明氷から切断するための白濁氷部切断手段を備えており、前記白濁氷部切断手段は、前記製氷皿の各粒形状に対して設けられ、偏心して設けられた回転軸を軸として回転する円盤から構成されており、前記円盤が回転して前記白濁氷の部分に接触することにより、前記白濁氷の部分に押しつけ力が加わって前記白濁氷が前記透明氷から切断されるものであって、前記製氷皿の各粒形状に対する円盤ごとに各回転位置の位相をずらすことにより、各氷ごとに前記白濁氷と前記透明氷とを切断する切断時刻をずらすことを特徴とする冷蔵庫であるので、製氷皿を捻る以前に、当該白濁氷部切断手段により大きな騒音を発生させることなく白濁氷部分を切断しておくことにより、離氷時の騒音レベルを小さくしながら透明氷を製氷できる。
【発明を実施するための最良の形態】
【０００８】
この発明は、製氷装置において氷を生成する際に、給水された水分中の気体成分やイオン成分等による氷の白濁部を一部に集中させることでそれ以外を透明化し、かつ各々を分離させることにより高い透明度の氷を得る製氷装置を備えた冷蔵庫に関するものである。以下、この発明の実施の形態について図面を参照して説明する。
【０００９】
実施の形態１．
図１〜６は実施の形態１を示す図で、図１は冷蔵庫の構成説明図、図２は製氷装置の説明図、図３は製氷皿の構造説明図、図４及び図５は白濁氷切断部を説明するための製氷皿を水平方向から見た説明図、図６は白濁氷切断部を説明するための製氷皿を垂直下面方向から見た説明図である。
【００１０】
まず、図１を用いて冷蔵庫の全体の構成について説明する。図１において、冷蔵庫本体１は、最上部に開閉ドアを備えて配置される冷蔵室１００と、冷蔵室１００の下方に設けられた、冷凍温度帯（−１８°Ｃ）から冷蔵、野菜、チルドの各温度帯のいずれかに切り替えることの出来る引き出しドアを備える切替室４００と、切替室４００と並列に引き出しドアを備える製氷室５００と、最下部に配置される引き出しドアを備えた冷凍室２００と、冷凍室２００と切替室４００および製氷室５００との間に引き出しドアを備える野菜室３００とから構成される。
【００１１】
また、図１に示すように、野菜室３００と冷凍室２００とにまたがる位置に、冷蔵庫本体１内を冷やすための冷気を生成する冷却器３が設置されている。冷却器３の上部には、冷却器３で生成された冷気を循環させるためのファン２が設けられている。また、冷却器３には、冷却器３と、冷蔵室１００、切替室４００、製氷室５００および冷凍室２００とをそれぞれ連結している冷気送風ダクト４と帰還ダクト５とが設けられている。冷気送風ダクト４は、冷却器３で生成された冷気を冷蔵室１００、切替室４００、製氷室５００および冷凍室２００まで送風するための送風管である。帰還ダクト５は、逆に、冷蔵室１００、切替室４００、製氷室５００および冷凍室２００から、それらの場所で冷却に使用した使用済みの冷気を冷却器３まで帰還させるための送風管である。
【００１２】
冷却器３で冷却された冷気は、冷却器３の上部に設けられたファン２によって冷蔵庫本体１内を循環される。その冷却された冷気は、冷却器３から冷蔵室１００、切替室４００、製氷室５００および冷凍室２００に向かって各々設けられている冷気送風ダクト４により送風されて、それらの各部屋を冷却した後に、各部屋からの帰還ダクト５にて冷却器３に再び帰還して、再度熱交換され冷気循環される。また、野菜室３００においては、冷蔵室１００の戻り冷気で輻射冷却している。また各部屋の温度コントロールは各部屋に設置された温度センサ６により各冷気送風ダクト４内に設置された風量調整器７を制御し実施する。
【００１３】
ここでは、例として、製氷室５００が、冷蔵室１００と野菜室３００との間で切替室４００と並列に配置されたレイアウトを示したが、その構成に限定されるものではない。例えば、製氷室５００が野菜室３００と冷凍室２００との間で切替室４００と並列に配置されたレイアウトでも、製氷室５００が冷凍室２００の一部になっているものでもよい。
図１の他の構成部分については、後述する。
【００１４】
次に、図２を用いて、製氷装置の構成について説明する。図２に示すように、冷蔵室１００には、製氷室５００内に置かれた製氷皿１１に給水するための給水タンク８が設けられている。給水タンク８内には、給水タンク８内の水を汲み上げるための給水ポンプ９が設けられている。また、給水タンク８と製氷室５００とを連通している給水パイプ１０が設けられており、汲み上げられた水は給水パイプ１０を介して製氷皿１１に給水される。また、図２に示すように、製氷皿１１を捻るための製氷駆動装置１２が設けられ、製氷駆動装置１２は枠体１３により固定されている。また、製氷皿１１下部には、製氷完了を判断するための製氷サーミスタ１４が設けられている。さらに、貯氷量を検知するための検氷レバー１５が製氷駆動装置１２に組み込まれている。
【００１５】
図２に示す当該構成において、冷蔵室１００に設置された給水タンク８から、給水タンク８内の給水ポンプ９により水が汲み上げられて、冷蔵室１００と製氷室５００とを連通させた給水パイプ１０内を介して氷を生成する製氷皿１１へ給水される。製氷室５００用の冷気送風ダクト４を通過した冷気は、製氷皿１１と製氷皿１１を捻る製氷駆動装置１２を固定する枠体１３内に供給されて製氷を実施する。
【００１６】
製氷完了の判断は製氷皿１１下部に固定された製氷サーミスタ１４がある設定温度以下になったことにより製氷完了と判断し、製氷完了と判断された場合には、製氷駆動装置１２に組み込まれた貯氷量を検知する検氷レバー１５を動作させて貯氷量を検知し、製氷皿１１の回転軌跡よりも低い位置に設定された満氷量に達していない場合には、製氷駆動装置１２が回転動作を開始し製氷皿１１を回転させて捻ることにより氷が製氷皿１１から離氷される。
【００１７】
図３により、本発明の製氷皿１１の構造の一例を説明する。図３は製氷皿１１の断面形状を表している。製氷皿１１の製氷部分は、氷１つずつ（各粒形状ごと）に対して、透明氷部１７とセパレータ部材１６（セパレータ形状）と白濁氷部１８とから形成されている。透明氷部１７は、図３に示すように、断面が台形形状となっていて、開口部に向かってテーパ状になっている。セパレータ部材１６は板状の部材であり、透明氷部１７と白濁氷部１８とを連通する貫通穴が設けられている。これにより、透明氷部１７と白濁氷部１８との間で凍る前の水の往来が可能である。また、白濁氷部１８は円管状をしており、内部は空洞であるが、底部は閉じている。白濁氷部１８は、透明氷部１７の下部に１個以上設けられている。図４の例では、白濁氷部１８は、製氷皿１１の１つの氷（粒形状）に対して２つずつ設けられている。
【００１８】
氷の生成メカニズムは水周囲の温度の低い部分から凍っていくため白濁の要因となる気体成分は水が外郭から凍っていく際に中心部の未凍結部分に追われていき、それが白濁する。本発明の透明製氷システムにおいては製氷皿１１の開口部すなわち上方から冷却を与えることにより白濁部を下方に追い込み、氷内の白濁部と透明部の分離を促進させる。
【００１９】
上方からの冷却を行うためには、冷気の量を図２の製氷皿１１上下の冷気送風ダクトの開口面積を製氷皿１１下方よりも上方の比率を増やしたり、冷気送風用のファン２の回転数制御を実施したり、風量調整器７の開角度を調整して風向きを変えたり、白濁部をヒーターで加熱したりして行うようにする。
【００２０】
そして、製氷皿１１内に設けられたセパレータ部材１６により氷の白濁氷部１８と透明氷部１７とを分離させる。このセパレータ部材１６には、上述したように、透明氷部１７と白濁氷部１８を連結させる貫通穴（開口部）が形成されている。当該貫通穴は少なくとも２ケ所以上設けることが望ましい。また、貫通穴の形状としては、丸穴形状でも、四角穴形状でもよく、あるいは、スリット形状でもよく、いずれかに限定されるものではない。
【００２１】
また、このセパレータ部材１６は、白濁氷部１８の体積が白濁氷部１８と透明氷部１７とを合わせた氷粒体積の５〜３０％の容量を確保するような位置に設置されていればよい。製氷皿１１底面からの深さ寸法でいうと、例えば、２〜１０ｍｍの位置に設置されていればよい。これは、白濁氷部１８の体積が氷粒体積の約３０％を超えると、透明部分として必要な大きさを確保した場合に、製氷皿１１が大型化してしまうためである。
【００２２】
そしてこのセパレータ部材１６の上部の透明氷部１７に完成した透明度の高い氷のみを離氷し、その後新しく製氷皿１１に給水された水により、セパレータ部材１６にある貫通穴を介して、下面の白濁氷部１８にある白濁氷を融解して、氷中の空気成分を脱気して再び透明氷を生成するために用いる。このことにより排水機構が不要で安価な透明氷生成が実現できる。
【００２３】
図４により、本発明の製氷皿構造の一例を説明する。図４に示すように、円盤３０ａ１１が、各白濁氷部１８に軽く接触するか、あるいは、隙間を残して離間するように設けられている。図４の例では、円盤３０ａ１は、２つの白濁氷部１８の各外側に１つずつ設けられている。円盤３０ａ１１は、中心ではなく、偏心した位置に白濁氷部切断部回転軸３０ｂ１が設けられており、それを軸に回転する。通常時は、図４（ａ）の位置にあり、白濁氷部１８に接触はしているものの、押し付け力は加えていない。一方、図４（ａ）の矢印方向に円盤３０ａ１１が回転した場合には、軸が偏心していることから、図４（ｂ）に示すように、白濁氷部１８に押し付け力を与えるため、これにより、白濁氷部１８が内側に寄せられる。白濁氷部切断部回転軸３０ｂ１と円盤３０ａ１１とは、白濁氷切断部３０（白濁氷部切断手段）を構成している。
【００２４】
一般的な透明氷部と白濁氷部との分断時の騒音レベルを確認するために、透明氷用でない、白濁氷部のついていない通常の製氷皿と、透明氷用の白濁氷部のついている製氷皿について、同じように製氷皿を捻って氷が製氷皿から離れる際の騒音レベルを測定した。その結果、透明氷用でない通常の製氷皿の騒音レベルよりも、透明氷用の製氷皿騒音レベルは１０ｄＢ以上高かった。また、透明氷用の製氷皿において、先に白濁氷部を手動で折って透明氷部から切断しておいたものの離氷時の騒音レベルは透明氷用でない通常の製氷皿の騒音レベルと同レベルであった。この結果から、製氷皿を捻って白濁氷部から透明氷部をひきちぎることで透明氷部と白濁氷部が分断する際に発生する騒音が離氷時の騒音に支配的な要素であり、透明氷をつくるために騒音レベルが高くなっているという問題点を発見した。
【００２５】
騒音レベルが高くなる理由を探るために上記の方法で透明氷を得た後の製氷皿を観察した結果を以下に説明する。製氷皿をねじって製氷皿を変形させることによって透明氷を取り出す際の製氷皿の変形と氷の移動を図１８に示す。図１８より、透明氷部１７を上部、白濁氷部１８（図１８では図示省略、図１９参照）を下部と考えた場合、透明氷部１７には、図１８に示す斜め上方向の力が生じて、製氷皿１１から離脱しようとする。この力は白濁氷部１８にも同様であるが、白濁氷部１８は製氷皿１１と摩擦が大きい構造で接触しているため、白濁氷部１８は製氷皿１１に留まった状態となり、結果として、透明氷部１７が白濁氷部１８から引きちぎられる形で離氷する。その結果、製氷皿１１に残る氷の様子を図１９に示す。図１９に示すように、製氷皿１１を回転させて捻ることによって透明氷を白濁氷部１８が分断した後、製氷皿１１に残存氷４０が残る。図１９に示すように、氷は白濁氷部１８のみが切断されず、透明氷部１７をえぐるような形で製氷皿１１に残る。従って透明氷自身を砕く大きな力が発生していることがわかる。この大きな力が製氷皿１１に伝達して大きな騒音を発生する。
【００２６】
このため、本実施の形態においては、製氷駆動装置１２が回転動作を開始し製氷皿１１を回転させて捻ることにより透明氷が製氷皿１１から離氷される前に、白濁氷部切断部回転軸３０ｂ１を軸として円盤３０ａ１１が回転することで、白濁氷部１８が図４（ｂ）に示すように円盤３０ａ１１により内側に押されて傾き、それにより、透明氷部１７と白濁氷部１８とを連結させる貫通穴に剪断力がかかって、透明氷と白濁氷とが切断されるようにした。その後、製氷駆動装置１２が回転動作を開始し製氷皿１１を回転させて捻ることで、すでに白濁氷部１８の白濁氷から切断された透明氷部１７の透明氷だけが製氷皿１１から離脱するので、製氷皿１１を捻ることで氷を破壊する大きな騒音を発生せずに透明氷生成が実現できる。
【００２７】
また、図５も動作は図４と同様で、図５では、白濁氷切断部３０は楕円形状の円盤３０ａ１１と白濁氷部切断部回転軸３０ｂ１とで形成されている。この断面形状は楕円形状でなくても、同じ動作をするものであれば三角形でも何でもよいことは自明である。また、楕円や三角形の場合には、白濁氷部切断部回転軸３０ｂ１は偏心させずに、中心に設けるようにしてもよい。
【００２８】
図６では、図４と図５で示した白濁氷切断部３０を製氷皿すべての氷生成部（各粒形状）にとりつけた例で、白濁氷切断部円盤３０ａ１１〜３０ａ１４は右から数えて氷生成部１段目の白濁氷切断部円盤、白濁氷切断部円盤３０ａ２１〜３０ａ２４は右から数えて氷生成部２段目の白濁氷切断部円盤、白濁氷切断円盤部３０ａ３１〜３０ａ３４は右から数えて氷生成部３段目の白濁氷切断部円盤、白濁氷切断部円盤３０ａ４１〜３０ａ４４は右から数えて氷生成部４段目の白濁氷切断部円盤、３０ｂ１〜３０ｂ４は白濁氷切断部３０ａ１１〜３０ａ４４の軸で、白濁氷切断部円盤３０ａ１１〜３０ａ４４は図４の場合は偏心させてとりつける。図５の場合は偏心させる必要はない。
【００２９】
以上のように、本実施の形態においては、製氷皿１１の氷１つずつの各粒形状内に、連結部を残して氷粒を上下に分割するセパレート形状を設け、上方からの冷却により白濁氷部１８を製氷皿１１の下部に移動させて上部に透明氷を生成し、製氷完了後の離氷過程において前記連結部を切断して透明氷を離氷し、残りの白濁氷を新しく製氷皿１１に給水された水で融解して混ぜた後、再び製氷を行う製氷装置において、製氷皿１１に白濁氷部切断部３０を備えるようにしたので、製氷皿１１を回転させて捻ることで離氷させる前に、白濁氷部切断部３０により白濁氷部１８と透明氷部１７の結合部に剪断力をかけて白濁氷部１８のみを切断することができる。これにより、従来のような透明氷部を引きはがす大きな力で氷を破壊するときの大きな音の発生を防ぐことができ、低騒音を実現できる。
【００３０】
実施の形態２．
図７は、実施の形態２を示す図である。図７に示すように、本実施の形態においては、図４で示した構成を各段とする製氷皿１１を例にする。図７に示すように、１段目、２段目等の各段における白濁氷切断部３０の白濁氷切断部円盤３０ａ１１および３０ａ２１は共通の回転軸３０ｂ１を軸として回転するように設けられている。このとき、各段相互の白濁氷切断部円盤３０ａ１１および３０ａ２１の回転軸３０ｂ１に対する回転位置の位相を互いに所定値ずつずらして設けている。なお、図７においては、１段目と２段目のみを示しているが、実際には、図６に示すように、製氷皿１１にはさらに多くの段が設けられている。
【００３１】
図７より、回転軸３０ｂ１を軸として、１段目の白濁氷切断部円盤３０ａ１１がある角度だけ回転したとき、２段目では、白濁氷切断部円盤３０ａ２１が同じ角度だけ回転するが、回転位置の位相が１段目とは異なるので、白濁氷切断部円盤３０ａ２１が白濁氷部１８に接触して押しつけ力が加わり、白濁氷部１８と透明氷部１７の結合部を切断するが、この時点においては、１段目では白濁氷切断部円盤３０ａ１１は白濁氷部１８に接触しないので、押しつけ力が加わらず、白濁氷部１８と透明氷部１７の結合部を切断しない。さらに、回転すると、１段目でも白濁氷切断部円盤３０ａ１１は白濁氷部１８に接触して押しつけ力を加え、白濁氷部１８と透明氷部１７の結合部を切断する。この結果１段目と２段目において、白濁氷部１８と透明氷部１７の結合部を切断するのに時間差が生じる。同様に３段目や４段目にも回転位置の位相をずらすことで、各段で白濁氷部１８と透明氷部１７の結合部を切断するのに時間差が生じる。また、各段の左右２個の氷についても同様に回転位置の位相をずらすことで、各段で白濁氷部１８と透明氷部１７の結合部を切断するのに時間差が生じ、この場合は、すべての氷の切断時間がずれる、氷の切断時間が同一である場合、例えば、８個の氷を同一時間で切断すると、１個の氷を切断する騒音の８倍の騒音が生じる。しかし、図７に示すように回転位置の位相をずらすことで、各氷の切断時間が別々になり、８個の氷を切断する場合でも騒音は氷１個を切断するときの騒音レベルで済み、さらなる低騒音を実現できる。
【００３２】
図７では、図４に示した白濁氷切断部円盤の中心からずれたところに白濁氷切断部の軸を設置した場合について述べたが、図５に示した白濁氷切断部円盤が楕円の場合でも全く同様の構成で同じ効果を奏することができる。この場合、楕円の回転角を各白濁氷切断部円盤ですべて異なるように設定しておけばよい。
【００３３】
また、各白濁氷切断部円盤による白濁氷部１８にかかる各押し付け力が十分時間的に離れるためには、白濁氷切断部の軸の回転速度を十分遅くすればよく、回転速度を遅くすることでさらに低騒音が実現されるのも自明である。
【００３４】
以上のように、本実施の形態においても、上記の実施の形態１と同様の効果が得られるとともに、さらに、本実施の形態においては、製氷皿における各氷に設置された白濁氷部切断部３０において、各回転位置に位相差をつけるなどして、切断時刻をずらすようにしたので、氷を１個１個時間差をおいて切断することができるので、氷切断による騒音レベルのピークを小さくすることができる。
【００３５】
実施の形態３．
図８および図９は、白濁氷切断部を説明するための製氷皿を水平方向から見た説明図、図１０は白濁氷切断部を説明するための製氷皿を垂直下面方向から見た説明図である。これらの図に示すように、本実施の形態においては、透明氷部１７の下部に設けられている複数の白濁氷部１８間の内側に、白濁氷部切断部回転軸３０ｂ１と円盤３０ａ１１とから構成される白濁氷切断部３０が設けられている。上記の実施の形態１および２においては、各粒形状に対して、白濁氷部１８の外側に２つの白濁氷切断部３０が設けられている例について説明したが、本実施の形態においては、各粒形状に対して、白濁氷部１８間に１つの白濁氷切断部３０が設けられている。
【００３６】
図８により、この発明の製氷皿構造の一例を説明する。製氷駆動装置１２（図２参照）が回転動作を開始し、製氷皿１１を回転させて捻ることにより氷が製氷皿１１から離氷される前に、偏心した円盤で形成される白濁氷切断部３０ａ１１が図８に示す矢印方向に回転することで透明氷部１７と白濁氷部１８を連結させる開口部に剪断力がかかって切断される。その後、製氷駆動装置１２が回転動作を開始し、製氷皿１１を回転させて捻ることで、すでに白濁氷部１８が切断された透明氷部１７だけが製氷皿１１から離脱するので製氷皿１１を捻ることで氷を破壊する大きな騒音を発生せずに透明氷生成が実現できる。
【００３７】
また、図９も動作は図８と同様で、図９では、白濁氷切断部３０ａ１１は楕円形状の円盤３０ｂ１で形成されている。この断面形状は楕円形状でなくても、三角形でも何でも同じ動作をするものであれば何でもよいことは自明である。
【００３８】
図１０では、図８と図９で示した白濁氷切断部３０を製氷皿１１のすべての氷生成部（各粒形状）にとりつけた例で、白濁氷切断部円盤３０ａ１１〜３０ａ１２は右から数えて氷生成部１段目の白濁氷切断部円盤、白濁氷切断部円盤３０ａ２１〜３０ａ２２は右から数えて氷生成部２段目の白濁氷切断部円盤、白濁氷切断円盤部３０ａ３１〜３０ａ３２は右から数えて氷生成部３段目の白濁氷切断部円盤、白濁氷切断部円盤３０ａ４１〜３０ａ４２は右から数えて氷生成部４段目の白濁氷切断部円盤、３０ｂ１は白濁氷切断部３０ａ１１〜３０ａ４１の軸で、３０ｂ２は白濁氷切断部３０ａ１２〜３０ａ４２の軸で、白濁氷切断部円盤３０ａ１１〜３０ａ２４は図８の場合は偏心させてとりつける。図９の場合は偏心させる必要はない。
【００３９】
以上のように、本実施の形態においても、上記の実施の形態１と同様の効果が得られるとともに、さらに、本実施の形態においては、氷１つずつ（各粒形状）に対して、白濁氷部１８間に１つの白濁氷切断部円盤を設けるようにしたので、白濁氷切断部円盤の個数を減らすことができ、その分だけ製造工程および製造コストを削減することができる。
【００４０】
実施の形態４．
図１１は実施の形態４を示す図で、図１０で示した１段目と２段目などの各段相互の白濁氷切断部円盤の中心に対する回転位置の位相をずらしてある場合の効果の例を１段目と２段目に関して示してある。図１１より、白濁氷切断部の軸３０ｂ１がある角度で回転したとき、２段目では、白濁氷切断部円盤３０ａ２１が白濁氷部１８に押しつけ力が加わり、白濁氷部１８と透明氷部１７の結合部を切断するが、１段目では白濁氷切断部円盤３０ａ１１は白濁氷部１８に押しつけ力が加わらず、白濁氷部１８と透明氷部１７の結合部を切断しない。さらに、回転すると、１段目でも白濁氷切断部円盤３０ａ１１は白濁氷部１８に押しつけ力が加わり、白濁氷部１８と透明氷部１７の結合部を切断する。この結果１段目と２段目において、白濁氷部１８と透明氷部１７の結合部を切断するのに時間差が生じる。同様に３段目や４段目にも回転位置の位相をずらすことで、各段で白濁氷部１８と透明氷部１７の結合部を切断するのに時間差が生じる。また、各段の左右２個の氷についても同様に回転位置の位相をずらすことで、各段で白濁氷部１８と透明氷部１７の結合部を切断するのに時間差が生じ、この場合は、すべての氷の切断時間がずれる、氷の切断時間が同一である場合、例えば８個の氷を同一時間で切断すると、１個の氷に切断する騒音の８倍の騒音が生じる。しかし、図１１に示すように回転位置の位相をずらすことで、各氷の切断時間が別々になり、８個の氷を切断する場合でも騒音は氷１個を切断する騒音レベルで済み、さらなる低騒音を実現できる。
【００４１】
図１１では、図８に示した白濁氷切断部円盤の中心からずれたところに白濁氷切断部の軸を設置した場合について述べたが、図９に示した白濁氷切断部円盤が楕円の場合でも全く同様の構成で同じ効果を奏することができる。この場合、楕円の回転角を各白濁氷切断部円盤ですべて異なるように設定しておけばよい。
【００４２】
また、各白濁氷切断部円盤による白濁氷部１８にかかる各力が十分時間的に離れるためには、白濁氷切断部の軸の回転速度を十分遅くすればよく、回転速度を遅くすることでさらに低騒音が実現されるのも自明である。
【００４３】
以上のように、本実施の形態においても、上記の実施の形態３と同様の効果が得られるとともに、さらに、本実施の形態においては、製氷皿における各氷に設置された白濁氷部切断部３０において、各回転角に位相差をつけるなどして、切断時刻をずらすようにしたので、氷を１個１個時間差をおいて切断するので、騒音レベルのピークを小さくすることができる。
【００４４】
実施の形態５．
図１２は実施の形態５を示す図で、白濁氷切断部を説明するための製氷皿を水平方向から見た説明図である。図１２に示すように、製氷皿１１の各粒形状の真下で、かつ、白濁氷部１８間に、白濁氷切断用くさび３１が設けられている。白濁氷切断用くさび３１は、上部の幅が細く、下部の幅が太い、くさび形状を有している。すなわち、白濁氷切断用くさび３１は、製氷皿１１の高さ方向に、先端部に向かって徐々に幅が狭くなっている。白濁氷切断用くさび３１が、図１２の矢印Ａ方向に上昇するか、あるいは、逆に、製氷皿１１が図１２の矢印Ｂ方向に下降する構造になっている。製氷皿１１の白濁氷部１８は、通常時は図１２（ａ）のようにまっすぐ下に向かって延びている。このとき、白濁氷切断用くさび３１が、図１２の矢印Ａ方向に上昇するか、あるいは、逆に、製氷皿１１が図１２の矢印Ｂ方向に下降すると、白濁氷切断用くさび３１の下部によって白濁氷部１８に押しつけ力が与えられて図１２（ｂ）に示すように外側に向かって開くようになる。
【００４５】
図１２により、この発明の製氷皿構造の一例を説明する。製氷駆動装置１２が回転動作を開始し製氷皿１１を回転させて捻ることにより氷が製氷皿１１から離氷される前に、白濁氷切断用くさび３１が上昇、もしくは、製氷皿１１が下降することで白濁氷部１８が外側に開くように押しつけ力がかかり、透明氷部１７と白濁氷部１８を連結させる開口部に剪断力がかかって切断される。その後、製氷駆動装置１２が回転動作を開始し製氷皿１１を回転させて捻ることですでに白濁氷部１８が切断された透明氷部１７だけが製氷皿から離脱するので製氷皿１１を捻ることで氷を破壊する大きな騒音を発生せずに透明氷生成が実現できる。
【００４６】
以上のように、本実施の形態においては、製氷皿１１の各粒形状内に、連結部を残して氷粒を上下に分割するセパレート形状を設け、上方からの冷却により白濁氷部１８を製氷皿１１の下部に移動させて上部に透明氷を生成し、製氷完了後の離氷過程において前記連結部を切断して透明氷を離氷し、残りの白濁氷を新しく製氷皿１１に給水された水で融解して混ぜた後、再び製氷を行う製氷装置において、製氷皿１１に白濁氷切断用くさび３１を備えるようにしたので、製氷皿１１を回転させて捻ることで離氷させる前に、白濁氷切断用くさび３１により白濁氷部１８と透明氷部１７の結合部に剪断力をかけて白濁氷部１８のみを切断することができる。これにより、従来のような透明氷部を引きはがす大きな力で氷を破壊するときの大きな音の発生を防ぐことができ、低騒音を実現できる。
【００４７】
実施の形態６．
図１３は、実施の形態６を示す図で、図１２に示した製氷皿１１と白濁氷切断用くさび３１とを側面から見た図である。白濁氷切断用くさび３１は、図１３に示すように、緩やかな傾斜を有したスロープ形状であり、図１３の向かって右側の高さが最も高く、図１３の向かって左側の高さが最も低くなっている。また、製氷皿を水平縦方向から見た説明図は図１２のようになっており、上部が細く、下部が太い、くさび形状を有している。
【００４８】
図１３より、白濁氷切断用くさび３１が図１３の矢印Ａ方向に上昇、もしくは、製氷皿１１が図１３の矢印Ｂ方向に下降することで、まず、図１３の向かって右側の氷粒の白濁氷部１８が外側に開くように力がかかり、透明氷部１７と白濁氷部１８を連結させる開口部に剪断力がかかって切断される。次に、向かって右側から２番目の氷粒の白濁氷部１８が外側に開くように力がかかり、透明氷部１７と白濁氷部１８を連結させる開口部に剪断力がかかって切断され、次に向かって右側から３番目、４番目と順次透明氷部１７と白濁氷部１８を連結させる開口部に剪断力がかかって切断される。この結果、各氷の切断時間が別々になり、８個の氷を切断する場合でも騒音は氷１個を切断する騒音レベルで済み、さらなる低騒音を実現できる。
【００４９】
また、各白濁氷切断部円盤による白濁氷部１８にかかる各力が十分時間的に離れるためには、白濁氷切断用くさび３１の上昇速度もしくは、製氷皿１１の下降速度を十分遅くすればよく、速度の低下により、さらに低騒音が実現されるのも自明である。
【００５０】
以上のように、本実施の形態においては、実施の形態５と同様の効果が得られるとともに、さらに、本実施の形態においては、白濁氷切断用くさび３１の側面は、図１３に示すように、緩やかな傾斜を有したスロープ形状となっていて、場所によってその高さが異なるので、向かって右側から順次透明氷部１７と白濁氷部１８を連結させる開口部に剪断力がかかって切断され、この結果、各氷の切断時間が別々になり、８個の氷を切断する場合でも騒音は氷１個を切断するときの騒音レベルで済み、さらなる低騒音を実現することができる。
【００５１】
実施の形態７．
図１４と図１５は白濁氷切断部を説明するための製氷皿を下方向から見た説明図である。
【００５２】
図１４に示すように、製氷皿１１の下方に、かつ、白濁氷部１８の外側に、白濁氷切断用くさび３２が設けられている。白濁氷切断用くさび３２は、製氷皿１１の長さ方向に（水平方向に）、先端部の幅が細く、後端部の幅が太い、くさび形状を有している。すなわち、白濁氷切断用くさび３２は、製氷皿１１の長さ方向に、先端部に向かって徐々に幅が狭くなっている。白濁氷切断用くさび３２が、図１４の矢印Ａ方向に移動するか、あるいは、逆に、製氷皿１１が図１４の矢印Ａの逆方向に移動する構造になっている。製氷皿１１の白濁氷部１８は、通常時は図１４（ａ）のようにまっすぐ水平方向に向かって延びている。このとき、白濁氷切断用くさび３２が、図１４の矢印Ａ方向に上昇するか、あるいは、逆に、製氷皿１１が図１４の矢印Ａの逆方向に移動すると、白濁氷切断用くさび３２の後端部によって白濁氷部１８が押されて図１４（ｂ）に示すように内側に向かって閉じるようになる。
【００５３】
図１５に示すように、製氷皿１１の下方に、かつ、２つの白濁氷部１８間に、白濁氷切断用くさび３２が設けられている。白濁氷切断用くさび３２は、製氷皿１１の長さ方向に（水平方向に）、先端部の幅が細く、後端部の幅が太い、くさび形状を有している。すなわち、白濁氷切断用くさび３２は、製氷皿１１の長さ方向に、先端部に向かって徐々に幅が狭くなっている。白濁氷切断用くさび３２が、図１５の矢印Ａ方向に移動するか、あるいは、逆に、製氷皿１１が図１５の矢印Ａの逆方向に移動する構造になっている。製氷皿１１の白濁氷部１８は、通常時は図１５（ａ）のようにまっすぐ水平方向に向かって延びている。このとき、白濁氷切断用くさび３２が、図１５の矢印Ａ方向に上昇するか、あるいは、逆に、製氷皿１１が図１５の矢印Ａの逆方向に移動すると、白濁氷切断用くさび３２の後端部によって白濁氷部１８が押されて図１５（ｂ）に示すように白濁氷切断用くさび３２の形状に沿って外側に向かって開くようになる。
【００５４】
動作について説明する。図１４により、この発明の製氷皿構造の一例を説明する。製氷駆動装置１２が回転動作を開始し製氷皿１１を回転させて捻ることにより氷が製氷皿１１から離氷される前に、白濁氷切断用くさび３２が矢印Ａ方向（図１４の向かって右側）、もしくは、製氷皿１１が矢印Ａの逆方向（図１４の向かって左側）に移動することで白濁氷部１８が内側に閉じるように力がかかり、透明氷部１７と白濁氷部１８を連結させる開口部に剪断力がかかって切断される。その後、製氷駆動装置１２が回転動作を開始し製氷皿１１を回転させて捻ることですでに白濁氷部１８が切断された透明氷部１７だけが製氷皿から離脱するので製氷皿１１を捻ることで氷を破壊する大きな騒音を発生せずに透明氷生成が実現できる。
【００５５】
また、図１５により、この発明の製氷皿構造の一例を説明する。製氷駆動装置１２が回転動作を開始し製氷皿１１を回転させて捻ることにより氷が製氷皿１１から離氷される前に、白濁氷切断用くさび３２が矢印Ａ方向（図１５の向かって右側）、もしくは、製氷皿１１が矢印Ａの逆方向（図１５の向かって左側）に移動することで白濁氷部１８が外側に開くように力がかかり、透明氷部１７と白濁氷部１８を連結させる開口部に剪断力がかかって切断される。その後、製氷駆動装置１２が回転動作を開始し製氷皿１１を回転させて捻ることですでに白濁氷部１８が切断された透明氷部１７だけが製氷皿から離脱するので製氷皿１１を捻ることで氷を破壊する大きな騒音を発生せずに透明氷生成が実現できる。
【００５６】
以上のように、本実施の形態においては、製氷皿１１の各粒形状内に、連結部を残して氷粒を上下に分割するセパレート形状を設け、上方からの冷却により白濁氷部１８を製氷皿１１の下部に移動させて上部に透明氷を生成し、製氷完了後の離氷過程において前記連結部を切断して透明氷を離氷し、残りの白濁氷を新しく製氷皿１１に給水された水で融解して混ぜた後、再び製氷を行う製氷装置において、製氷皿１１に白濁氷切断用くさび３２を備えるようにしたので、製氷皿１１を回転させて捻ることで離氷させる前に、白濁氷切断用くさび３２により白濁氷部１８と透明氷部１７の結合部に剪断力をかけて白濁氷部１８のみを切断することができる。これにより、従来のような透明氷部を引きはがす大きな力で氷を破壊するときの大きな音の発生を防ぐことができ、低騒音を実現できる。
【００５７】
実施の形態８．
図１６は、実施の形態８を示す図で、下面から見た製氷皿１１と図１４に示した白濁氷切断用くさび３２との位置関係を示してある。図１６に示すように、製氷皿１１の各粒形状に対して白濁氷切断用くさび３２が２つずつ設けられている。このとき、製氷皿１１の各粒形状に対する白濁氷切断用くさび３２は、各粒形状ごとに少しずつ位置をずらして設けられている。図１６に示すように、図１６の向かって右側の粒形状に対する白濁氷切断用くさび３２は白濁氷部１８の横に設けられていて、長さ方向の重なっている部分の長さを例えばαとする。右から２段目の粒形状に対する白濁氷切断用くさび３２は白濁氷部１８の横から後方に向かって設けられていて、長さ方向の重なっている部分の長さは、αよりも短いβとなっている。右から３段目の粒形状に対する白濁氷切断用くさび３２は白濁氷部１８の横より後方に設けられていて、長さ方向に重なっている部分はなく、白濁氷切断用くさび３２と白濁氷部１８との長さ方向のずれの長さをγとする。右から４段目の粒形状に対する白濁氷切断用くさび３２は白濁氷部１８のさらに後方に設けられていて、３段目と同様に、長さ方向に重なっている部分はないが、白濁氷切断用くさび３２と白濁氷部１８との長さ方向のずれの長さはγよりも大きいδとなっている。
【００５８】
図１６より、白濁氷切断用くさび３２が矢印Ａ方向（図１６の向かって右側）へ移動、もしくは、製氷皿１１が矢印Ａの逆方向（図１６の向かって左側）へ移動することで、まず、図１６の向かって右側の粒形状の白濁氷部１８が内側に閉じるように力がかかり、透明氷部１７と白濁氷部１８を連結させる開口部に剪断力がかかって切断される。次に、向かって右側から２番目の粒形状の白濁氷部１８が内側に閉じるように力がかかり、透明氷部１７と白濁氷部１８を連結させる開口部に剪断力がかかって切断され、次に向かって右側から３段目、４段目と順次、透明氷部１７と白濁氷部１８を連結させる開口部に剪断力がかかって切断される。この結果、各氷の切断時間が別々になり、８個の氷を切断する場合でも騒音は氷１個を切断する騒音レベルで済み、さらなる低騒音を実現できる。
【００５９】
図１５の構成についても、本実施の形態の構成を適用することで、右側から順番に氷に剪断力がかかり、低騒音を実現できる。
【００６０】
なお、この順番は図１６では右側から左側に向かって順次氷が切断されるようにしたが、順番は不同で、どこから切断されるようにしてもよい。
【００６１】
また、各白濁氷切断部円盤による白濁氷部１８にかかる各力が十分時間的に離れるためには、白濁氷切断用くさび３２の移動速度もしくは、製氷皿１１の移動速度を十分遅くすればよく、速度の低下により、さらに低騒音が実現されるのも自明である。
【００６２】
以上のように、本実施の形態においては、実施の形態７と同様の効果が得られるとともに、さらに、本実施の形態においては、白濁氷切断用くさび３２は、図１６に示すように、製氷皿１１の各粒形状に対する白濁氷切断用くさび３２は、各粒形状ごとに少しずつ位置をずらして設けられており、場所によってその長さ方向の重なり部分の長さが異なるので、向かって右側から順次透明氷部１７と白濁氷部１８を連結させる開口部に剪断力がかかって切断され、この結果、各氷の切断時間が別々になり、４個の氷を切断する場合でも騒音は氷１個を切断するときの騒音レベルで済み、さらなる低騒音を実現することができる。
【００６３】
実施の形態９．
図１７は、実施の形態９を示す図で、白濁氷切断部を説明するための製氷皿を側面（縦）方向から見た説明図である。図１７により、この発明の製氷皿構造の一例を説明する。図３〜図１６では、白濁氷部１８が一つの氷（粒形状）に対して２つであったが、図１７では１つとしている。製氷皿１１には長さ方向に延びる回転軸１２ａが設けられていて、回転軸１２を軸として両方向に回転するように構成されている。また、製氷皿１１の上部の天井には天井突起３３が設けられていて、回転軸１２ａを軸として、製氷皿１１が回転すると、白濁氷部１８は天井突起３３に衝突するしくみになっている。
【００６４】
動作について説明する。製氷駆動装置の回転軸１２ａが回転動作を開始し、図１７の向かって右上方向に製氷皿１１を１５０〜１８０度程度回転させる（図１７（ａ）に示すように矢印Ａ方向（反時計回り）に回転する）ことにより、図１７（ｂ）に示すように、製氷皿設置部の天井に設けられた天井突起３３に白濁氷部１８ａが接触し、白濁氷部１８ａと透明氷部１７ａの結合部に剪断力がかかって、透明氷部１７ａが白濁氷部１８ａから切り離されて製氷皿から落下する。つぎに、製氷駆動装置の回転軸１２ａが回転動作を開始し、図１７の向かって左上方向に製氷皿１１を回転させる（図１７に示すように矢印Ｂ方向（時計回り）に回転する）ことにより、図１７（ｃ）に示すように、製氷皿設置部の天井の天井突起３３に白濁氷部１８が接触し、白濁氷部１８ｂと透明氷部１７ｂの結合部に剪断力がかかって、透明氷部１７ｂが白濁氷部１８ｂから切り離されて製氷皿から落下する。このような機構をとることで、製氷皿１１を捻ることで氷を破壊する大きな騒音を発生せずに透明氷生成が実現できる。
【００６５】
以上のように、本実施の形態においては、製氷皿１１の各粒形状内に、連結部を残して氷粒を上下に分割するセパレート形状を設け、上方からの冷却により白濁氷部１８を製氷皿１１の下部に移動させて上部に透明氷を生成し、製氷完了後の離氷過程において前記連結部を切断して透明氷を離氷し、残りの白濁氷を新しく製氷皿１１に給水された水で融解して混ぜた後、再び製氷を行う製氷装置において、回転軸１２ａによって製氷皿１１が左右に回転自在に設けられていて、回転することによって天井に設けられた天井突起３３に接触する構成になっているので、製氷皿１１を回転させて捻ることで離氷させる前に、白濁氷部１８と天井突起３３との接触により白濁氷部１８と透明氷部１７の結合部に剪断力をかけて白濁氷部１８のみを切断することができる。これにより、従来のような透明氷部を引きはがす大きな力で氷を破壊するときの大きな音の発生を防ぐことができ、低騒音を実現できる。
【図面の簡単な説明】
【００６６】
【図１】この発明の実施の形態１に係る冷蔵庫の構成を示した構成図である。
【図２】この発明の実施の形態１に係る冷蔵庫の構成を示した構成図で、製氷システムを説明した図である。
【図３】この発明の実施の形態１に係る冷蔵庫の製氷皿の構成を示した説明図である。
【図４】この発明の実施の形態１に係る冷蔵庫の製氷皿の構成を示す図で、白濁氷切断機構を説明するための製氷皿を水平縦方向から見た説明図である。
【図５】この発明の実施の形態１に係る冷蔵庫の製氷皿の構成を示す図で、白濁氷切断機構を説明するための製氷皿を水平縦方向から見た説明図である。
【図６】この発明の実施の形態１に係る冷蔵庫の製氷皿の構成を示す図で、白濁氷切断機構を説明するための製氷皿を垂直下面方向から見た説明図である。
【図７】この発明の実施の形態２に係る冷蔵庫の製氷皿を示す図で、各段相互の白濁氷切断部円盤の中心に対する回転位置の位相をずらしてある場合の効果の例を１段目と２段目に関して示した製氷皿構造説明図である。
【図８】この発明の実施の形態３に係る冷蔵庫の製氷皿を示す図で、白濁氷切断機構を説明するための製氷皿を水平縦方向から見た説明図である。
【図９】この発明の実施の形態３に係る冷蔵庫の製氷皿を示す図で、白濁氷切断機構を説明するための製氷皿を水平縦方向から見た説明図である。
【図１０】この発明の実施の形態３に係る冷蔵庫の製氷皿を示す図で、白濁氷切断機構を説明するための製氷皿を垂直下面方向から見た説明図である。
【図１１】この発明の実施の形態４に係る冷蔵庫の製氷皿を示す図で、各段相互の白濁氷切断部円盤の中心に対する回転位置の位相をずらしてある場合の効果の例を１段目と２段目に関して示した説明図である。
【図１２】この発明の実施の形態５に係る冷蔵庫の製氷皿を示す図で、白濁氷切断機構を説明するための製氷皿を水平縦方向から見た説明図である。
【図１３】この発明の実施の形態６に係る冷蔵庫の製氷皿を示す図で、側面（横）から見た製氷皿と白濁氷切断用くさびとの位置関係を示した説明図である。
【図１４】この発明の実施の形態７に係る冷蔵庫の製氷皿を示す図で、白濁氷切断機構を説明するための製氷皿を下方向から見た説明図である。
【図１５】この発明の実施の形態７に係る冷蔵庫の製氷皿を示す図で、白濁氷切断機構を説明するための製氷皿を下方向から見た説明図である。
【図１６】この発明の実施の形態８に係る冷蔵庫の製氷皿を示す図で、下面から見た製氷皿と白濁氷切断用くさびとの位置関係を示した説明図である。
【図１７】この発明の実施の形態８に係る冷蔵庫の製氷皿を示す図で、白濁氷切断機構を説明するための製氷皿を側面（縦）方向から見た説明図である。
【図１８】従来の冷蔵庫における製氷皿を示した説明図で、製氷皿をねじって製氷皿を変形させることによって透明氷を取り出す際の製氷皿の変形と氷の移動を示した図である。
【図１９】従来の冷蔵庫における製氷皿を示した説明図で、離氷後製氷皿に残る氷の様子を示した図である。
【符号の説明】
【００６７】
１  冷蔵庫本体、２  ファン、３  冷却器、４  冷気送風ダクト、５  帰還ダクト、６  温度センサ、７  風量調整器、８  給水タンク、９  給水ポンプ、１０  給水パイプ、１１  製氷皿、１２  製氷駆動装置、１３  枠体、１４  製氷サーミスタ、１５  検氷レバー、１６  セパレータ部材、１７  透明氷部、１８白濁氷部、２２  操作パネル、２３  制御基板、２４  マイコン、２５  ＬＥＤ、３０  白濁氷切断部、３１  白濁氷切断用くさび、３２  白濁氷切断用くさび、３３  天井突起、１００  冷蔵室、２００  冷凍室、３００  野菜室、４００  切替室、５００  製氷室。
【図１】
0004455480.tif 000002
【図２】
0004455480.tif 000003
【図３】
0004455480.tif 000004
【図４】
0004455480.tif 000005
【図５】
0004455480.tif 000006
【図６】
0004455480.tif 000007
【図７】
0004455480.tif 000008
【図８】
0004455480.tif 000009
【図９】
0004455480.tif 000010
【図１０】
0004455480.tif 000011
【図１１】
0004455480.tif 000012
【図１２】
0004455480.tif 000013
【図１３】
0004455480.tif 000014
【図１４】
0004455480.tif 000015
【図１５】
0004455480.tif 000016
【図１６】
0004455480.tif 000017
【図１７】
0004455480.tif 000018
【図１８】
0004455480.tif 000019
【図１９】
0004455480.tif 000020